(57)【要約】【課題】３Ｇ端末が有する機能とＬＴＥ端末が有する機能とを両方有する通信端末が、位置登録の受付処理を行う装置が管理する通信エリアを跨いで移動した場合でも、音声通信を遮断させることなく継続させることが可能な位置登録システム、位置登録装置、及び位置登録方法を提供する。【解決手段】デュアル端末ＭＤから位置登録を要求する要求信号を受信するＩＭＳ−ＧＷ１１と、要求信号に基づいた位置登録処理を行うＣＳＣＦ２１，２２と、位置登録処理を行ったＣＳＣＦ２１を示すプロファイルを記憶するＨＳＳ３１とを含む位置登録システム１００であって、位置登録システム１００は、デュアル端末ＭＤから移動先エリアに基づく要求信号を受信するＩＭＳ−ＧＷ１２を備え、ＩＭＳ−ＧＷ１２は、位置登録処理を行うよう指示する指示信号を、プロファイルに基づいてＣＳＣＦ２１に送信する制御信号送信部８を有する。【選択図】図４
2010206248.tif 000002
【特許請求の範囲】
【請求項１】
通信端末の現在位置に基づく位置登録を要求する要求信号を当該通信端末から受信する通信装置と、当該通信装置が受信した当該要求信号に基づいた位置登録処理を行う制御装置と、当該通信端末に関する位置登録処理を行った当該制御装置を示す装置識別情報を記憶する記憶装置と、を含む位置登録システムであって、
前記位置登録システムは、前記通信端末の移動先エリアに基づく前記要求信号を当該通信端末から受信する位置登録装置を備え、
前記位置登録装置は、前記受信した前記要求信号に基づいた位置登録処理を行うよう指示する指示信号を、前記記憶装置に記憶された前記装置識別情報に基づいて、前記制御装置に送信する送信手段を有すること、
を特徴とする位置登録システム。
【請求項２】
前記位置登録装置は、前記装置識別情報を問い合わせる問い合わせ信号を前記記憶装置に送信して、当該装置識別情報を受信する問い合わせ手段を更に有すること、
を特徴とする、請求項１に記載の位置登録システム。
【請求項３】
通信端末の現在位置に基づく位置登録を要求する要求信号を当該通信端末から受信する通信装置と、当該通信装置が受信した当該要求信号に基づいた位置登録処理を行う制御装置と、当該通信端末に関する位置登録処理を行った当該制御装置を示す装置識別情報を記憶する記憶装置と、を含む位置登録システムが有する位置登録装置であって、
前記通信端末の移動先エリアに基づく前記要求信号を当該通信端末から受信する受信手段と、
前記受信手段が受信した前記要求信号に基づいた位置登録処理を行うよう指示する指示信号を、前記記憶装置に記憶された前記装置識別情報に基づいて、前記制御装置に送信する送信手段と、
を備えることを特徴とする位置登録装置。
【請求項４】
前記位置登録装置は、前記装置識別情報を問い合わせる問い合わせ信号を前記記憶装置に送信して、当該装置識別情報を受信する問い合わせ手段を更に備えること、
を特徴とする、請求項３に記載の位置登録装置。
【請求項５】
通信端末の現在位置に基づく位置登録を要求する要求信号を当該通信端末から受信する通信装置と、当該通信装置が受信した当該要求信号に基づいた位置登録処理を行う制御装置と、当該通信端末に関する位置登録処理を行った当該制御装置を示す装置識別情報を記憶する記憶装置と、を含む位置登録システムにおける位置登録方法であって、
前記通信端末の移動先エリアに基づく前記要求信号を当該通信端末から位置登録装置が受信する受信ステップと、
前記受信手段が受信した前記要求信号に基づいた位置登録処理を行うよう指示する指示信号を、前記記憶装置に記憶された前記装置識別情報に基づいて、前記制御装置に前記位置登録装置が送信する送信ステップと、
を有することを特徴とする位置登録方法。
【請求項６】
前記装置識別情報を問い合わせる問い合わせ信号を前記記憶装置に前記位置登録装置が送信して、当該装置識別情報を当該位置登録装置が受信する問い合わせステップを更に有すること、
を特徴とする、請求項５に記載の位置登録方法。
【発明の詳細な説明】
【技術分野】
【０００１】
本発明は、位置登録処理を行う位置登録システム、位置登録装置、及び位置登録方法に関する。
【背景技術】
【０００２】
従来、移動体通信網のコアネットワーク技術としてＩＭＳ（IP Multimedia Subsystem）ネットワークが整備されようとしている。ＩＭＳネットワークは、ＳＩＰ（Session Initiated Protocol）という通信プロトコルを用い、データ通信だけでなく音声や動画のリアルタイム通信を実現するマルチメディアサービスを提供できるネットワークである。下記の非特許文献１には、３ＧＰＰ（Third Generation Partnership Project）によって標準化されているＩＭＳアーキテクチャが記載されている。
【０００３】
本来、３ＧＰＰによって標準化された通信方式（以下、３Ｇ方式）に対応している第三世代端末（以下、３Ｇ端末）を、上記のＩＭＳネットワークに収容することはできない。ここで、３Ｇ方式に対応している無線通信ネットワークである３Ｇ−ＲＡＮ、及び、ＩＭＳネットワークにおいてＬＡＮ（Local Area Network）とＷＡＮ（Wide Area Network）とを接続するためのインタワーク装置を介すことによって、上記のＩＭＳネットワークに３Ｇ端末を収容する技術が提案されている。この技術では、３Ｇ端末の収容は可能であるが、３Ｇ方式よりも新しい通信方式に対応しているＬＴＥ（Long Term Evolution）端末の収容までは想定されていない。
【０００４】
ＩＭＳネットワークにおいて、移動中の３Ｇ端末が行う位置登録（即ち、レジストレーション）の方法について、図１を用いて説明する。ここでは、図１に示すように、３Ｇ端末ＭＴの現在位置に基づく位置登録の受付処理を行う装置であるＩＭＳ−ＧＷ１１１，１１２，１２１，１２２（GateWay）と、この受付処理を制御する装置であるＣＳＣＦ２１，２２（Call/Session Control Function）と、この制御が行なわれる際に用いられる加入者情報データベースを管理する論理ノードであるＨＳＳ３１（Home Subscriber Server）とが存在するとして説明する。なお、ＩＭＳネットワークは複数の通信エリアにエリア分けされており、エリア分けされた通信エリアで構成されるグループ１にはＩＭＳ−ＧＷ１１１，１１２が含まれ、このグループ１はＣＳＣＦ２１によって管理される。同様に、グループ２にはＩＭＳ−ＧＷ１２１，１２２が含まれ、このグループ２はＣＳＣＦ２２によって管理される。
【０００５】
図１に示すように、３Ｇ端末ＭＴの移動によって、３Ｇ端末ＭＴの位置登録の受付処理を行うＩＭＳ−ＧＷのグループがグループ１からグループ２に変わってグループを跨ぐことが行なわれた場合、移動先のＣＳＣＦ２２において位置登録の受付処理が行われる。この結果、ＣＳＣＦ２２において、３Ｇ端末ＭＴが在圏するＣＳＣＦを示す在圏ＣＳＣＦプロファイルの更新が行なわれ、ＨＳＳ３１が、ＣＳＣＦ２１に対して、記憶されている未更新の旧在圏ＣＳＣＦプロファイルの削除を指示する指示信号を送信する。
【０００６】
次に、ＩＭＳネットワークにおいて、上記のＬＴＥ端末が行う位置登録の方法について、図２を用いて説明する。ここでは、図２に示すように、ＬＴＥ端末ＭＳの現在位置に基づく位置登録の受付処理を行う装置であるＰ−ＣＳＣＦ４１と、この受付処理を制御する装置であるＣＳＣＦ２１，２２と、この制御が行なわれる際に用いられる加入者情報データベースを管理する論理ノードであるＨＳＳ３１とが存在するとして説明する。なお、ＩＭＳネットワークは複数の通信エリアにエリア分けされており、エリア分けされた通信エリアで構成されるグループ１（図示せず）はＣＳＣＦ２１によって管理される。同様に、グループ２（図示せず）はＣＳＣＦ２２によって管理される。
【０００７】
図２に示すように、ＬＴＥ端末ＭＳが移動しても、ＬＴＥ端末ＭＳが在圏するＣＳＣＦを示す在圏ＣＳＣＦプロファイルをＰ−ＣＳＣＦ４１がＨＳＳ３１に問い合わせるだけであり、移動前に一旦位置登録されたＣＳＣＦのグループは変わらない。このため、位置登録されたＣＳＣＦが移動元のＣＳＣＦ２１から移動先のＣＳＣＦ２２に変わることは無く、移動元のＣＳＣＦ２１において位置登録の受付処理が行われたままであって、在圏ＣＳＣＦプロファイルの変更は無い。
【先行技術文献】
【非特許文献】
【０００８】
【非特許文献１】ゴンザロ・カマリロ／ミゲール・Ａ・ガルシア・マーチン（著）、澤田拓也／鹿島拓也（訳）、「実践入門ネットワーク  ＩＭＳ（IP Multimedia Subsystem）標準テキスト−ＮＧＮのコア技術」、第１版、株式会社リックテレコム、２００６年７月１６日、ｐ．３６−４７
【発明の概要】
【発明が解決しようとする課題】
【０００９】
３Ｇ端末が有する機能（即ち、３Ｇモード）とＬＴＥ端末が有する機能（即ち、ＬＴＥモード）とを両方有するデュアル端末ＭＤが開発されて利用される場合が考えられる。この場合、図３に示すように、デュアル端末ＭＤの移動によって、デュアル端末ＭＤの位置登録の受付処理を行うＩＭＳ−ＧＷのグループがグループ１からグループ２に変わって、グループを跨ぐことが行なわれた場合、デュアル端末ＭＤが在圏するＣＳＣＦを示す在圏ＣＳＣＦプロファイルをＩＭＳ−ＧＷ１２１がＨＳＳ３１に問い合わせることにより、移動先のＣＳＣＦ２２において位置登録の受付処理が行われる。この結果、ＣＳＣＦ２２において、デュアル端末ＭＤが在圏するＣＳＣＦを示す在圏ＣＳＣＦプロファイルの更新が行なわれ、ＨＳＳ３１が、ＣＳＣＦ２１に対して、図１に示したように、記憶されている未更新の旧在圏ＣＳＣＦプロファイルの削除を指示する指示信号を送信する。
【００１０】
ここで、デュアル端末ＭＤによるＬＴＥモードでの音声通信が行なわれている場合、記憶されている上記の旧在圏ＣＳＣＦプロファイルの削除によって、旧在圏側、即ち、図２に示したように移動前に一旦位置登録されたままのＣＳＣＦ２１側の位置登録情報が解放されるため、音声通信が遮断されてしまう。
【００１１】
本発明は、上記課題を解決するためになされたものであり、３Ｇ端末が有する機能とＬＴＥ端末が有する機能とを両方有する通信端末が、位置登録の受付処理を行う装置が管理する通信エリアを跨いで移動した場合でも、音声通信を遮断させることなく継続させることが可能な位置登録システム、位置登録装置、及び位置登録方法を提供することを目的とする。
【課題を解決するための手段】
【００１２】
上記目的を達成するために、本発明に係る位置登録システムは、通信端末の現在位置に基づく位置登録を要求する要求信号を当該通信端末から受信する通信装置と、当該通信装置が受信した当該要求信号に基づいた位置登録処理を行う制御装置と、当該通信端末に関する位置登録処理を行った当該制御装置を示す装置識別情報を記憶する記憶装置と、を含む位置登録システムであって、位置登録システムは、通信端末の移動先通信エリアに基づく要求信号を当該通信端末から受信する位置登録装置を備え、位置登録装置は、受信した要求信号に基づいた位置登録処理を行うよう指示する指示信号を、記憶装置に記憶された装置識別情報に基づいて、制御装置に送信する送信手段を有すること、を特徴とする。
【００１３】
本発明に係る位置登録システムでは、位置登録装置が、受信した要求信号に基づいた位置登録処理を行うよう指示する指示信号を、記憶装置に記憶された装置識別情報に基づいて、制御装置に送信する。これにより、通信端末の移動によって、通信端末の位置登録の受付処理を行う装置が通信装置から位置登録装置に変わった場合でも、位置登録処理は、指示信号を受信した制御装置において行われる。このため、制御装置に記憶されている上記したような旧在圏ＣＳＣＦプロファイルの削除が不要となる。この結果、通信端末が、３Ｇ端末が有する機能とＬＴＥ端末が有する機能とを両方有しており、この通信端末による音声通信が行なわれている場合に、旧在圏ＣＳＣＦプロファイルの削除によって音声通信が遮断されてしまうことが無くなる。即ち、３Ｇ端末が有する機能とＬＴＥ端末が有する機能とを両方有する通信端末が、位置登録の受付処理を行う装置が管理する通信エリアを跨いで移動した場合でも、音声通信を遮断させることなく継続させることが可能になる。
【００１４】
位置登録装置は、装置識別情報を問い合わせる問い合わせ信号を記憶装置に送信して、当該装置識別情報を受信する問い合わせ手段を更に有するのも好ましい。これにより、位置登録装置は、記憶装置に記憶されている最新の装置識別情報を受信することが可能になる。この結果、音声通信を遮断させることなくより確実に継続させることを、より適切に行なうことが可能になる。
【００１５】
上記目的を達成するために、本発明に係る位置登録装置は、通信端末の現在位置に基づく位置登録を要求する要求信号を当該通信端末から受信する通信装置と、当該通信装置が受信した当該要求信号に基づいた位置登録処理を行う制御装置と、当該通信端末に関する位置登録処理を行った当該制御装置を示す装置識別情報を記憶する記憶装置と、を含む位置登録システムが有する位置登録装置であって、通信端末の移動先通信エリアに基づく要求信号を当該通信端末から受信する受信手段と、受信手段が受信した要求信号に基づいた位置登録処理を行うよう指示する指示信号を、記憶装置に記憶された装置識別情報に基づいて、制御装置に送信する送信手段と、を備えることを特徴とする。
【００１６】
本発明に係る位置登録装置では、受信した要求信号に基づいた位置登録処理を行うよう指示する指示信号を、記憶装置に記憶された装置識別情報に基づいて、制御装置に送信する。これにより、通信端末の移動によって、通信端末の位置登録の受付処理を行う装置が通信装置から位置登録装置に変わった場合でも、位置登録処理は、指示信号を受信した制御装置において行われる。このため、制御装置に記憶されている上記したような旧在圏ＣＳＣＦプロファイルの削除が不要となる。この結果、通信端末が、３Ｇ端末が有する機能とＬＴＥ端末が有する機能とを両方有しており、この通信端末による音声通信が行なわれている場合に、旧在圏ＣＳＣＦプロファイルの削除によって音声通信が遮断されてしまうことが無くなる。即ち、３Ｇ端末が有する機能とＬＴＥ端末が有する機能とを両方有する通信端末が、位置登録の受付処理を行う装置が管理する通信エリアを跨いで移動した場合でも、音声通信を遮断させることなく継続させることが可能になる。
【００１７】
位置登録装置は、装置識別情報を問い合わせる問い合わせ信号を記憶装置に送信して、当該装置識別情報を受信する問い合わせ手段を更に備えるのも好ましい。これにより、位置登録装置は、記憶装置に記憶されている最新の装置識別情報を受信することが可能になる。この結果、音声通信を遮断させることなくより確実に継続させることを、より適切に行なうことが可能になる。
【００１８】
上記目的を達成するために、本発明に係る位置登録方法は、通信端末の現在位置に基づく位置登録を要求する要求信号を当該通信端末から受信する通信装置と、当該通信装置が受信した当該要求信号に基づいた位置登録処理を行う制御装置と、当該通信端末に関する位置登録処理を行った当該制御装置を示す装置識別情報を記憶する記憶装置と、を含む位置登録システムにおける位置登録方法であって、通信端末の移動先通信エリアに基づく要求信号を当該通信端末から位置登録装置が受信する受信ステップと、受信手段が受信した要求信号に基づいた位置登録処理を行うよう指示する指示信号を、記憶装置に記憶された装置識別情報に基づいて、制御装置に位置登録装置が送信する送信ステップと、を有することを特徴とする。
【００１９】
本発明に係る位置登録方法では、受信した要求信号に基づいた位置登録処理を行うよう指示する指示信号を、記憶装置に記憶された装置識別情報に基づいて、制御装置に送信する。これにより、通信端末の移動によって、通信端末の位置登録の受付処理を行う装置が通信装置から位置登録装置に変わった場合でも、位置登録処理は、指示信号を受信した制御装置において行われる。このため、制御装置に記憶されている上記したような旧在圏ＣＳＣＦプロファイルの削除が不要となる。この結果、通信端末が、３Ｇ端末が有する機能とＬＴＥ端末が有する機能とを両方有しており、この通信端末による音声通信が行なわれている場合に、旧在圏ＣＳＣＦプロファイルの削除によって音声通信が遮断されてしまうことが無くなる。即ち、３Ｇ端末が有する機能とＬＴＥ端末が有する機能とを両方有する通信端末が、位置登録の受付処理を行う装置が管理する通信エリアを跨いで移動した場合でも、音声通信を遮断させることなく継続させることが可能になる。
【００２０】
装置識別情報を問い合わせる問い合わせ信号を記憶装置に位置登録装置が送信して、当該装置識別情報を当該位置登録装置が受信する問い合わせステップを更に有するのも好ましい。これにより、位置登録装置は、記憶装置に記憶されている最新の装置識別情報を受信することが可能になる。この結果、音声通信を遮断させることなくより確実に継続させることを、より適切に行なうことが可能になる。
【発明の効果】
【００２１】
本発明によれば、３Ｇ端末が有する機能とＬＴＥ端末が有する機能とを両方有する通信端末が、位置登録の受付処理を行う装置が管理する通信エリアを跨いで移動した場合でも、音声通信を遮断させることなく継続させることが可能な位置登録システム、位置登録装置、及び位置登録方法を提供することができる。
【図面の簡単な説明】
【００２２】
【図１】移動中の３Ｇ端末が行うと通常考えられる位置登録の方法を説明する図である。
【図２】移動中のＬＴＥ端末が行うと通常考えられる位置登録の方法を説明するための説明図である。
【図３】移動中のデュアル端末が行うと通常考えられる位置登録の方法を説明するための説明図である。
【図４】実施形態における位置登録システムの構成を説明するための説明図である。
【図５】実施形態における位置登録装置であるＩＭＳ−ＧＷの機能構成を示す構成図である。
【図６】実施形態における位置登録装置であるＩＭＳ−ＧＷのハードウェア構成を示す構成図である。
【図７】実施形態における位置登録システムで実行される位置登録処理の流れを示すシーケンス図である。
【図８】３Ｇ端末が他のシステムで位置登録する際に実行される処理の流れを示すシーケンス図である。
【図９】ＬＴＥ端末が他のシステムで位置登録する際に実行される処理の流れを示すシーケンス図である。
【発明を実施するための形態】
【００２３】
以下、添付図面を参照しながら本発明の好適な実施形態を説明する。なお、図面の説明において同一要素には同一符号を付し、重複する説明を省略する。
【００２４】
（１）位置登録システムの構成
まず、本実施形態である位置登録システムについて、図４を用いて説明する。図４は、ＩＭＳ（IP Multimedia Subsystem）ネットワークにおいて、後述するデュアル端末ＭＤ（通信端末）の位置登録（即ち、レジストレーション）を制御する位置登録システム１００の構成を説明するための説明図である。
【００２５】
位置登録システム１００は、ＩＭＳ−ＧＷ１１，１２（GateWay）と、ＣＳＣＦ２１，２２（Call/Session Control Function）と、ＨＳＳ３１（HomeSubscriber Server）とを含んでいる。このＩＭＳネットワークは、３Ｇ端末及びＬＴＥ端末を収容することが可能なネットワークである。なお、ＩＭＳネットワークは、デュアル端末ＭＤが他の端末や装置と通信可能な複数の通信エリアにエリア分けされており、エリア分けされた通信エリアで構成されるグループ１にはＩＭＳ−ＧＷ１１が含まれ、このグループ１はＣＳＣＦ２１によって管理される。同様に、グループ２にはＩＭＳ−ＧＷ１２が含まれ、このグループ２はＣＳＣＦ２２によって管理される。
【００２６】
デュアル端末ＭＤは、３Ｇ端末が有する機能（即ち、３Ｇモード）とＬＴＥ端末が有する機能（即ち、ＬＴＥモード）とを両方有する移動端末であり、例えば携帯電話機やＰＤＡなどといった移動通信が可能な端末である。ここでは、デュアル端末ＭＤは、グループ１の通信エリア（即ち、移動元エリア）から、グループ２の通信エリア（即ち、移動先エリア）に移動したとする。
【００２７】
ＩＭＳ−ＧＷ１１，１２のそれぞれは、デュアル端末ＭＤの現在位置に基づく位置登録を要求する要求信号をこのデュアル端末ＭＤから受信して、位置登録の受付処理を行う通信装置である。上記したように、デュアル端末ＭＤは、移動先エリアであるグループ２の通信エリアに移動する。このため、ＩＭＳ−ＧＷ１２は、デュアル端末ＭＤの移動先エリアに基づく位置登録を要求する要求信号を、このデュアル端末ＭＤから受信して受付処理を行う位置登録装置として機能する。ＩＭＳ−ＧＷ１１，１２のそれぞれは、デュアル端末ＭＤと通信することにより、Ｕ−Ｐｌａｎｅ（ユーザ情報転送プレーン）及びＣ−Ｐｌａｎｅ（呼制御信号プレーン）の制御を行なう。
【００２８】
なお、ＩＭＳ−ＧＷ１２は、受信した要求信号に基づいた位置登録処理を行うよう指示する指示信号を、ＨＳＳ３１に記憶された後述の在圏ＣＳＣＦプロファイル（装置識別情報）に基づいて、ＣＳＣＦ２１に送信する。この在圏ＣＳＣＦプロファイルは、ＩＭＳ−ＧＷ１２がＨＳＳ３１に問い合わせることにより取得される。ＩＭＳ−ＧＷ１２の物理的構成および機能的構成については、後述する。
【００２９】
ＣＳＣＦ２１，２２のそれぞれは、ＩＭＳ−ＧＷ１１，１２のそれぞれが受信した要求信号に基づいた位置登録処理を行うことによって、この受付処理を制御する論理ノード（制御装置）である。ＣＳＣＦ２１，２２のそれぞれは、ＩＭＳネットワークにおいてＳＩＰ（Session Initiated Protocol）という通信プロトコルに準じたメッセージ（即ち、ＳＩＰメッセージ）の処理を行うことが可能である。これにより、ＣＳＣＦ２１は、受信した指示信号に基づいて、位置登録処理を行う。ＣＳＣＦ２１，２２のそれぞれは、機能ごとに、Ｐ−ＣＳＣＦ（Proxy CSCF）、Ｓ−ＣＳＣＦ（Serving CSCF）、又はＩ−ＣＳＣＦ（Interrogating CSCF）が規定されている。
【００３０】
ＨＳＳ３１は、この制御が行なわれる際に用いられる加入者情報データベースを管理する論理ノード（即ち、記憶装置）である。この加入者情報データベースには、デュアル端末ＭＤに関する位置登録処理を行ったＣＳＣＦ２１又はＣＳＣＦ２２を示す在圏ＣＳＣＦプロファイルが記憶されている。
【００３１】
（２）ＩＭＳ−ＧＷの構成
次に、本実施形態であるＩＭＳ−ＧＷ１２の構成について、図５及び図６を用いて説明する。図５は、ＩＭＳ−ＧＷ１２の機能構成を示す構成図であり、図６は、ＩＭＳ−ＧＷ１２のハードウェア構成を示す構成図である。図６に示すように、ＩＭＳ−ＧＷ１２は、ＣＰＵ（Central Processing Unit）１２１、主記憶装置であるＲＡＭ（Random Access Memory）１２２及びＲＯＭ(Read Only Memory)１２３、通信を行うための通信モジュール１２４、並びにハードディスク等の補助記憶装置１２５等のハードウェアを備えるコンピュータとして構成される。これらの構成要素が動作することにより、ＩＭＳ−ＧＷ１２の機能が発揮される。
【００３２】
また、図５に示すように、ＩＭＳ−ＧＷ１２は、機能的な構成要素として、制御信号受信部１（受信手段）と、認証処理部２と、問い合わせ信号送信部３（問い合わせ手段）と、問い合わせ応答信号受信部４（問い合わせ手段）と、アタッチ位置登録判定部５と、登録先選択部６と、グループ跨り位置登録判定処理部７と、制御信号送信部８（送信手段）と、信号解析部９と、プロトコル変換部１０と、を有している。
【００３３】
制御信号受信部１は、デュアル端末ＭＤの移動先エリアにおける現在位置に基づく要求信号を、このデュアル端末ＭＤから受信する部分である。
【００３４】
認証処理部２は、制御信号受信部１がデュアル端末ＭＤから要求信号を受信すると、このデュアル端末ＭＤの位置登録を受け付けてよいか否かの認証処理を行う部分である。ここでは、このデュアル端末ＭＤの認証が成功して、位置登録を受け付け処理が開始されるとする。
【００３５】
問い合わせ信号送信部３は、デュアル端末ＭＤの認証が成功すると、デュアル端末ＭＤの現時点での在圏先のＣＳＣＦのアドレスを含む在圏ＣＳＣＦプロファイルを問い合わせる問い合わせ信号をＨＳＳ３１に送信する部分である。問い合わせ信号送信部３は、問い合わせ信号をＨＳＳ３１に送信することによって、デュアル端末ＭＤが在圏するＣＳＣＦを示す在圏ＣＳＣＦプロファイルを送信するようＨＳＳ３１に要求する。
【００３６】
問い合わせ応答信号受信部４は、この問い合わせ信号を受信したＨＳＳ３１から、在圏ＣＳＣＦプロファイルを受信する部分である。この在圏ＣＳＣＦプロファイルは、デュアル端末ＭＤの現時点での在圏先のＣＳＣＦ２１のアドレスを示す情報である。
【００３７】
アタッチ位置登録判定部５は、問い合わせ応答信号受信部４がＨＳＳ３１から在圏ＣＳＣＦプロファイルを受信すると、デュアル端末ＭＤの要求がアタッチ処理（即ち、通信接続処理）であるか、位置登録処理であるかを判定する。ここでは、アタッチ位置登録判定部５は、デュアル端末ＭＤの要求が位置登録処理であると判定する。
【００３８】
登録先選択部６は、デュアル端末ＭＤの要求が位置登録処理であると判定されると、問い合わせ応答信号受信部４が受信した在圏ＣＳＣＦプロファイルに基づいて、デュアル端末ＭＤの現時点での在圏先として登録されているＣＳＣＦ２１のアドレスを選択して取得する。
【００３９】
グループ跨り位置登録判定処理部７は、登録先選択部６が取得したＣＳＣＦ２１のアドレスと、デュアル端末ＭＤの移動先エリアに基づく要求信号を受信したＩＭＳ−ＧＷ１２を管理するＣＳＣＦ２２のアドレスとを比較判定し、グループの跨りがあったためにこれらのアドレスが互いに異なる場合に、登録先選択部６が取得したＣＳＣＦ２１のアドレスを選択して取得する部分である。なお、これらのアドレスが同じ場合、グループ跨り位置登録判定処理部７は、グループを跨るグループ間移動は無かったと判定し、一連の処理を終了させてもよい。
【００４０】
制御信号送信部８は、デュアル端末ＭＤの移動先エリアに基づく要求信号に基づいた位置登録処理を行うよう指示する指示信号を、ＨＳＳ３１に記憶された在圏ＣＳＣＦプロファイルに基づいて、グループ跨り位置登録判定処理部７が取得したアドレスを有するＣＳＣＦ２１に送信する部分である。
【００４１】
信号解析部９は、この指示信号を受信したＣＳＣＦ２１から送信される位置登録処理の完了を示す完了情報を、このＣＳＣＦ２１から受信する部分である。
【００４２】
プロトコル変換部１０は、ＩＭＳ−ＧＷ１２の内部で行なわれる通信で必要なプロトコルの変換（例えば、ＳＩＰから他のプロトコルへの変換や、他のプロトコルからＳＩＰへの変換など）を行なう部分である。
【００４３】
（３）位置登録処理の流れ
次に、本実施形態に係る位置登録システム１００で実行される位置登録処理（位置登録方法）の流れを、図７〜図９を用いて、他のシステムで実行される処理の流れと比較しながら説明する。図７は、位置登録システム１００で実行される位置登録処理の流れを示すシーケンス図である。また、図８及び図９のそれぞれは、３Ｇ端末及びＬＴＥ端末のそれぞれが他のシステムで位置登録する際に実行される処理の流れを示すシーケンス図である。
【００４４】
（３−１）位置登録システムで実行される位置登録処理の流れ
まず、位置登録システム１００で実行される位置登録処理の流れについて、図７を用いて説明する。
【００４５】
最初に、デュアル端末ＭＤが、ＬＴＥモードでの音声通話中に、グループ１の通信エリア（即ち、移動元エリア）から、グループ２の通信エリア（即ち、移動先エリア）にグループ間の移動を行なっているとする（ステップＳ０１）。ここで、デュアル端末ＭＤが、デュアル端末ＭＤの移動先エリアに基づく要求信号を、ＩＭＳ−ＧＷ１２に送信する（ステップＳ０２）。これに応じて、ＩＭＳ−ＧＷ１２の制御信号受信部１が、この要求信号を受信する（受信ステップ）。
【００４６】
次に、ＩＭＳ−ＧＷ１２の認証処理部２が、デュアル端末ＭＤの位置登録を受け付けてよいか否かの認証処理を行う。そして、この認証が成功すると、ＩＭＳ−ＧＷ１２の問い合わせ信号送信部３が、デュアル端末ＭＤの現時点での在圏先のＣＳＣＦのアドレスを問い合わせる問い合わせ信号を、ＨＳＳ３１に送信する（ステップＳ０３、問い合わせステップ）。そして、ＩＭＳ−ＧＷ１２の問い合わせ応答信号受信部４が、この問い合わせ信号を受信したＨＳＳ３１から、在圏ＣＳＣＦプロファイルを受信する（ステップＳ０４、問い合わせステップ）。この在圏ＣＳＣＦプロファイルは、デュアル端末ＭＤの現時点での在圏先のＣＳＣＦ２１のアドレスを示す情報である。
【００４７】
次に、ＩＭＳ−ＧＷ１２のアタッチ位置登録判定部５が、デュアル端末ＭＤの要求がアタッチ処理（即ち、通信接続処理）であるか、位置登録処理であるかを判定する（ステップＳ０５）。ここでは、アタッチ位置登録判定部５は、デュアル端末ＭＤの要求が位置登録処理であると判定する。そして、ＩＭＳ−ＧＷ１２の登録先選択部６が、ステップＳ０４で受信された在圏ＣＳＣＦプロファイルに基づいて、デュアル端末ＭＤの現時点での在圏先として登録されているＣＳＣＦ２１のアドレスを選択して取得する。
【００４８】
次に、ＩＭＳ−ＧＷ１２のグループ跨り位置登録判定処理部７が、登録先選択部６が取得したＣＳＣＦ２１のアドレスと、デュアル端末ＭＤの移動先エリアに基づく要求信号を受信したＩＭＳ−ＧＷ１２を管理するＣＳＣＦ２２のアドレスとを比較判定する（ステップＳ０６）。ここで、ＣＳＣＦ２１のアドレスと、ＣＳＣＦ２２のアドレスとは異なるため、グループ跨り位置登録判定処理部７は、登録先選択部６が取得したＣＳＣＦ２１のアドレスを選択して取得する（ステップＳ０７）。
【００４９】
次に、ＩＭＳ−ＧＷ１２の制御信号送信部８が、デュアル端末ＭＤの移動先エリアに基づく要求信号に基づいた位置登録処理を行うよう指示する指示信号を、ＨＳＳ３１に記憶された在圏ＣＳＣＦプロファイルに基づいて、グループ跨り位置登録判定処理部７が取得したアドレスを有するＣＳＣＦ２１に送信する（ステップＳ０８、送信ステップ）。そして、この指示信号を受信したＣＳＣＦ２１は、デュアル端末ＭＤの移動先エリアに基づく位置登録処理を行う（ステップＳ０９）。即ち、ＣＳＣＦ２１は、移動先エリアに位置するデュアル端末ＭＤが在圏先として位置登録しているＣＳＣＦはＣＳＣＦ２１であるとして、このＣＳＣＦ２１に記憶されている在圏ＣＳＣＦプロファイルを書き換えて更新する。
【００５０】
次に、ＩＭＳ−ＧＷ１２の信号解析部９が、指示信号を受信したＣＳＣＦ２１から、位置登録処理の完了を示す完了情報を受信する（ステップＳ１０）。そして、信号解析部９が、デュアル端末ＭＤに、位置登録処理の完了を示す完了情報を送信する（ステップＳ１１）。
【００５１】
なお、ステップＳ０６及びステップＳ０７は、デュアル端末ＭＤの在圏先のＣＳＣＦを選択する処理を行うステップを含むステップグループＧ１であり、ステップＳ０９は、在圏ＣＳＣＦプロファイルを書き換える処理を行うステップを含むステップグループＧ２である。
【００５２】
（３−２）３Ｇ端末が他のシステムで位置登録する際に実行される処理の流れ
次に、３Ｇ端末が他のシステムで位置登録する際に実行される処理の流れについて、図８を用いて説明する。
【００５３】
最初に、３Ｇ端末ＭＴが、グループ１の通信エリア（即ち、移動元エリア）から、グループ２の通信エリア（即ち、移動先エリア）にグループ間の移動を行なっているとする。ここで、３Ｇ端末ＭＴが、３Ｇ端末ＭＴの移動先エリアに基づく要求信号を、ＩＭＳ−ＧＷ１２１に送信する（ステップＳ２１）。これに応じて、ＩＭＳ−ＧＷ１２１が、この要求信号を受信する。
【００５４】
次に、ＩＭＳ−ＧＷ１２１が、３Ｇ端末ＭＴの現時点での在圏先のＣＳＣＦのアドレスを問い合わせる問い合わせ信号を、ＨＳＳ３１に送信する（ステップＳ２２）。そして、ＩＭＳ−ＧＷ１２１が、この問い合わせ信号を受信したＨＳＳ３１から、在圏ＣＳＣＦプロファイルを受信する（ステップＳ２３）。この在圏ＣＳＣＦプロファイルは、３Ｇ端末ＭＴの現時点での在圏先のＣＳＣＦ２１のアドレスを示す情報である。
【００５５】
次に、ＩＭＳ−ＧＷ１２１が、３Ｇ端末ＭＴの移動先エリアにおける現在位置に基づいて、この現在位置を含む移動先エリアであるグループ２を管理するＣＳＣＦ２２のアドレスを取得して登録する（ステップＳ２４）。
【００５６】
次に、ＩＭＳ−ＧＷ１２１が、３Ｇ端末ＭＴの移動先エリアに基づいた位置登録処理を行うよう指示する指示信号を、ステップＳ２４で取得したアドレスを有するＣＳＣＦ２２に送信する（ステップＳ２５）。そして、この指示信号を受信したＣＳＣＦ２２は、３Ｇ端末ＭＴの移動先エリアに基づく位置登録処理を行う。即ち、ＣＳＣＦ２２は、３Ｇ端末ＭＴが在圏先として位置登録しているＣＳＣＦはＣＳＣＦ２２であるとして、このＣＳＣＦ２２に記憶されている在圏ＣＳＣＦプロファイルを書き換えて更新する。
【００５７】
次に、ＣＳＣＦ２２が、３Ｇ端末ＭＴの移動先エリアに基づいた位置登録処理を行うよう指示する指示信号を、ＨＳＳ３１に送信する（ステップＳ２６）。そして、この指示信号を受信したＨＳＳ３１は、３Ｇ端末ＭＴの移動先エリアに基づく位置登録処理を行う。即ち、ＨＳＳ３１は、３Ｇ端末ＭＴが在圏先として位置登録しているＣＳＣＦはＣＳＣＦ２２であるとして、このＨＳＳ３１に記憶されている在圏ＣＳＣＦプロファイルを書き換えて更新する（ステップＳ２７）。
【００５８】
次に、ＨＳＳ３１が、記憶されている未更新の旧在圏ＣＳＣＦプロファイルの削除を指示する指示信号を、ＣＳＣＦ２１に送信する（ステップＳ２８）。そして、この指示信号を受信したＣＳＣＦ２１は、記憶されている未更新の旧在圏ＣＳＣＦプロファイルの削除処理を行う（ステップＳ２９）。
【００５９】
次に、ＣＳＣＦ２１が、記憶されている未更新の旧在圏ＣＳＣＦプロファイルの削除を指示する指示信号を、ＣＳＣＦ２１の管理下にあるＩＭＳ−ＧＷ１１１に送信する（ステップＳ３０）。そして、この指示信号を受信したＩＭＳ−ＧＷ１１１が、記憶されている未更新の旧在圏ＣＳＣＦプロファイルの削除処理を行う（ステップＳ３１）。
【００６０】
（３−３）ＬＴＥ端末が他のシステムで位置登録する際に実行される処理の流れ
次に、ＬＴＥ端末ＭＳが他のシステムで位置登録する際に実行される処理の流れについて、図９を用いて説明する。
【００６１】
最初に、ＬＴＥ端末ＭＳが、グループ１の通信エリア（即ち、移動元エリア）から、グループ２の通信エリア（即ち、移動先エリア）にグループ間の移動を行なっているとする。ここで、ＬＴＥ端末ＭＳが、ＬＴＥ端末ＭＳの移動先エリアに基づく要求信号を、上記のＩＭＳ−ＧＷ１２１に対応するＰ−ＣＳＣＦ４１に送信する（ステップＳ４１）。これに応じて、Ｐ−ＣＳＣＦ４１が、この要求信号を受信する。
【００６２】
次に、Ｐ−ＣＳＣＦ４１が、ＬＴＥ端末ＭＳの現時点での在圏先のＣＳＣＦのアドレスを問い合わせる問い合わせ信号を、ＨＳＳ３１に送信する（ステップＳ４２）。そして、Ｐ−ＣＳＣＦ４１が、この問い合わせ信号を受信したＨＳＳ３１から、在圏ＣＳＣＦプロファイルを受信する（ステップＳ４３）。この在圏ＣＳＣＦプロファイルは、ＬＴＥ端末ＭＳが移動先エリアに移動する前に移動元エリアで在圏していたＣＳＣＦ２１のアドレスを示す情報である。
【００６３】
次に、Ｐ−ＣＳＣＦ４１が、ＬＴＥ端末ＭＳの移動先エリアに基づいた位置登録処理を行うよう指示する指示信号を、ステップＳ４３で取得したアドレスを有するＣＳＣＦ２１に送信する（ステップＳ４４）。そして、この指示信号を受信したＣＳＣＦ２１が、ＬＴＥ端末ＭＳの移動先エリアに基づく位置登録処理を行うとともに、ＬＴＥ端末ＭＳに提供する通信サービスを制御するサービス制御装置であるＡＳ５１（Application Server）を選択する処理を行う（ステップＳ４５）。そして、ＡＳ５１を選択したＣＳＣＦ２１が、ＬＴＥ端末ＭＳの移動先エリアに基づいた位置登録処理を行うよう指示する指示信号を、選択されたＡＳ５１に送信する（ステップＳ４６）。そして、この指示信号を受信したＡＳ５１は、ＬＴＥ端末ＭＳの移動先エリアに基づく位置登録処理を行う。
【００６４】
次に、ＡＳ５１が、ＬＴＥ端末ＭＳの移動先エリアに基づいた位置登録処理を行うよう指示する指示信号を、ＨＳＳ３１に送信する（ステップＳ４７）。そして、この指示信号を受信したＨＳＳ３１が、ＬＴＥ端末ＭＳの移動先エリアに基づく位置登録処理を行う。即ち、ＨＳＳ３１は、ＬＴＥ端末ＭＳが在圏先として位置登録しているＣＳＣＦはＣＳＣＦ２１であるとして、このＨＳＳ３１に記憶されている在圏ＣＳＣＦプロファイルを書き換えて更新する。
【００６５】
（３−４）位置登録システム１００と上記した他のシステムとの比較
次に、３Ｇ端末ＭＴが有する機能とＬＴＥ端末ＭＳが有する機能とを両方有するデュアル端末ＭＤにおいてＬＴＥモードでの音声通信が行なわれている場合における、位置登録システム１００による作用効果を、位置登録システム１００と上記した他のシステムとを比較しながら説明する。
【００６６】
図７に示すように、位置登録システム１００では、ＩＭＳ−ＧＷ１２が、受信した要求信号に基づいた位置登録処理を行うよう指示する指示信号を、ＨＳＳ３１に記憶された在圏ＣＳＣＦプロファイルに基づいてＣＳＣＦ２１に送信する（ステップＳ０８）。これにより、デュアル端末ＭＤの移動によって、デュアル端末ＭＤの位置登録の受付処理を行う装置がＩＭＳ−ＧＷ１１からＩＭＳ−ＧＷ１２に変わった場合でも、位置登録処理は、この指示信号を受信したＣＳＣＦ２１において行われる（ステップＳ０９）。即ち、ＣＳＣＦ２１におけるレジストレーションが保たれることになる。
【００６７】
このため、図８のステップＳ２９で行なわれるような、ＣＳＣＦ２１に記憶されている旧在圏ＣＳＣＦプロファイルの削除が、位置登録システム１００では不要となる。この結果、デュアル端末ＭＤによる音声通信が行なわれている場合に、旧在圏ＣＳＣＦプロファイルの削除によって音声通信が遮断されてしまうことが無くなる。即ち、位置登録の受付処理を行う装置が管理する通信エリアを、デュアル端末ＭＤが跨いで移動した場合でも、ＬＴＥモードでの音声通信を遮断させることなく音声通信中呼を継続させることが可能になる。
【００６８】
また、ＩＭＳ−ＧＷ１２が在圏ＣＳＣＦプロファイルをＨＳＳ３１に問い合わせて受信することにより、ＩＭＳ−ＧＷ１２は、ＨＳＳ３１に記憶されている最新の在圏ＣＳＣＦプロファイルを受信することが可能になる。これにより、ＩＭＳ−ＧＷ１２は、デュアル端末ＭＤの移動先エリアに基づく要求信号に基づいた位置登録処理を行うよう指示する指示信号を、適切なＣＳＣＦに送信することが可能になる。この結果、デュアル端末ＭＤにおける音声通信を遮断させることなくより確実に継続させることを、より適切に行なうことが可能になる。
【００６９】
（４）変形例
なお、上記の実施例では、ＩＭＳ−ＧＷ、ＣＳＣＦ、及びグループをそれぞれ２つとする構成としたが、ＩＭＳ−ＧＷ、ＣＳＣＦ、及びグループの数は複数であれば特に限定されない。このため、グループ１，２のそれぞれを形成するＩＭＳ−ＧＷの数は３つ以上であってもよい。
【産業上の利用可能性】
【００７０】
本発明によれば、ＩＭＳネットワークにおいて、３Ｇ端末が有する機能とＬＴＥ端末が有する機能とを両方有する通信端末が、位置登録（即ち、レジストレーション）の受付処理を行う装置が管理する通信エリアを跨いで移動した場合でも、音声通信を遮断させることなく継続させることが可能な位置登録システム、位置登録装置、及び位置登録方法を提供することができる。
【符号の説明】
【００７１】
１…制御信号受信部、２…認証処理部、３…問い合わせ信号送信部、４…問い合わせ応答信号受信部、５…アタッチ位置登録判定部、６…登録先選択部、７…グループ跨り位置登録判定処理部、８…制御信号送信部、９…信号解析部、１０…プロトコル変換部、１００…位置登録システム、１２１…ＣＰＵ、１２２…ＲＡＭ、１２３…ＲＯＭ、１２４…通信モジュール、１２５…補助記憶装置、Ｇ１，Ｇ２…ステップグループ、ＭＤ…デュアル端末、ＭＳ…ＬＴＥ端末、ＭＴ…３Ｇ端末。
【図１】
2010206248.tif 000003
【図２】
2010206248.tif 000004
【図３】
2010206248.tif 000005
【図４】
2010206248.tif 000006
【図５】
2010206248.tif 000007
【図６】
2010206248.tif 000008
【図７】
2010206248.tif 000009
【図８】
2010206248.tif 000010
【図９】
2010206248.tif 000011